(57)【要約】      （修正有）【課題】三味線胴部の開口部が猫や犬の皮の代わりに和紙材で覆われ、前記胴部の底部が木材板などからなる、安価で、メンテナンスが容易で、量産可能な三味線を提供する。【解決手段】角筒体からなる木製の胴部３、該胴部から延びる棹２を備えた三味線であって、前記胴部の対向する２つの開口部の一方に和紙４が張設され、前記胴部の対向する２つの開口部の他方が木または合成樹脂で閉塞され、前記竿の自由端から、前記和紙上に取り外し可能に設けられた根緒５を介して前記角筒体の外表面にわたって絃ＴＨ１〜ＴＨ３を配索する。前記和紙の表裏いづれか一方の面に膠またはゼラチンを塗布し、同様な工程を得た別の和紙と膠又はゼラチンを塗布した面で張り合わせて構成し、坪量が、２００〜３００ｇ／ｍ2、厚さが０．２〜０．４ｍｍ、引張強度が２５〜３０ｋＮ／ｍとなるよう製作する。【選択図】図２
0003148589.tif 000002
【実用新案登録請求の範囲】
【請求項１】
扁平筒状体からなる木製の胴部、該胴部から延びる竿を備えた三味線であって、
前記胴部の対向する２つの開口部の一方に和紙が張設され、
前記胴部の対向する２つの開口部の他方が木または合成樹脂で閉塞され、
前記竿の先端から、前記和紙上に取り外し可能に設けられた根緒を介して前記扁平筒状体の外表面にわたって絃が配索され、
前記和紙が膠またはゼラチン層によって含浸され、
前記和紙の坪量が、２００〜３００ｇ／ｍ2、厚さが０．２〜０．４ｍｍ、引張強度が２５〜３０ｋＮ／ｍである
ことを特徴とする三味線。
【請求項２】
前記和紙が、互いに２枚重ねあわされ、かつ該２枚の和紙の間に挟持された膠またはゼラチン層とからなる請求項１記載の三味線。
【考案の詳細な説明】
【技術分野】
【０００１】
本考案は改良された三味線に関する。さらに詳しくは、三味線の胴部が木製の角筒体からなり、互いに対向する２つの開口部の一方に膠またはゼラチンが含浸された和紙が張設され、互いに対向する２つの開口部の他方が木または合成樹脂によって閉塞された三味線に関する。
【背景技術】
【０００２】
図１を参照して説明すると、三味線１は、胴部３と、該胴部３の一側壁から伸びた棹部２と、該棹部２の先端部近傍に設けられた糸巻部Ｒ１〜３と、前記一側壁と対向する側壁の外面に設けられた根緒５との間に張設される３本の絃ＴＨ１〜３を主要部として構成され、前記絃ＴＨ１〜３を演奏者がバチで弾いて演奏する日本の伝統的な楽器のうちの１つである。
【０００３】
三味線の胴部３は、木材をほぼロの字状に組み立てた胴枠部からなり、前記胴部の両面にある開口した部分には、猫や犬の皮が用いられ張設されるのが常である。これにより、音が抜けすぎず重量感のある三味線特有の音色が得られる。
【０００４】
一方、日本の伝統文化を後世に残すという見地から、教育現場において、三味線を教材として取り入れたいというニーズがある。また、三味線の利用は、現在、一部の愛好家に限られているが、広く一般に親しんでもらうことが望まれている。そのためには、安価で、メンテナンスが容易で、量産可能な三味線を提供する必要がある。
【考案の開示】
【考案が解決しようとする課題】
【０００５】
そこで、本願の考案者は、猫や犬の皮に変えて、和紙を用いた三味線を検討したが、両面に和紙を貼り付けた三味線では、音が抜けすぎてしまい、三味線の本来の音色とはかけ離れてしまい、三味線の音色を普及させる障害となる。
【０００６】
そこで、本願の考案者は、猫や犬の皮の代わりに、安価で、張り替えが容易で、量産可能であり、かつ和紙を用いても音が抜けすぎず、猫の皮や犬の皮と同等程度の強度、音響的効果を奏する和紙を用いた三味線の提供を目的とする。
【課題を解決するための手段】
【０００７】
本考案の三味線は、扁平筒状体からなる木製の胴部、該胴部から延びる竿を備えた三味線であって、
前記胴部の対向する２つの開口部の一方に和紙が張設され、
前記胴部の対向する２つの開口部の他方が木または合成樹脂で閉塞され、
前記竿の先端から、前記和紙上に取り外し可能に設けられた根緒を介して前記扁平筒状体の外表面にわたって絃が配索され、
前記和紙が膠またはゼラチン層によって含浸され、
前記和紙の坪量が、２００〜３００ｇ／ｍ2、厚さが０．２〜０．４ｍｍ、引張強度が２５〜３０ｋＮ／ｍである
ことを特徴とする。
【０００８】
また、前記和紙が、互いに２枚重ねあわされ、かつ該２枚の和紙の間に挟持された膠またはゼラチン層とから構成されると、猫の皮に匹敵する機械的特性が得られるので好ましい。
【考案の効果】
【０００９】
本考案の三味線は、猫や犬の皮の代わりに含浸された和紙や、和紙積層体（以下、単に和紙という）を用いることにより、表皮の材料コストを少なくとも２０分の１に抑えることができ、かつ音響的効果も猫の皮に勝るとも劣らない音質の三味線を提供することができる。
【００１０】
和紙についても、猫や犬の皮と同様に定期的に張り替える必要があるが、膠またはゼラチンを混入することにより一定の強度を得た和紙の耐用年数は猫や犬の皮よりも長く、和紙の張り替え頻度を低減することができる。また、和紙の張り替えは、猫や犬の皮の場合のような職人的技量を必要としないため、その費用は安価であり、三味線の維持費用の負担を軽減することができる。また、和紙の張り替え作業は比較的容易であるため、猫や犬の皮の場合のような日数も必要としない。
【００１１】
前記膠またはゼラチンによって含浸された和紙は、猫や犬の皮と比較して、湿気に左右されにくいため、和紙を用いた三味線は、天候や湿度の影響をあまり受けず安定した音質が得られる。また、前記膠またはゼラチンによって含浸された和紙を用いることにより、音が抜けることを低減し、三味線の音色に重量感を与える。
【００１２】
猫や犬の皮の代わりに前記和紙を用いた三味線は、動物愛護の観点から望ましい。
【００１３】
また、前記胴部が木材からなり、前記胴部の開口部が和紙で覆われている三味線は、音が抜けすぎず、猫や犬の皮を用いた場合と比較して遜色のない、ソフトで自然な音色を奏でる。
【考案を実施するための最良の形態】
【００１４】
以下、添付図面を参照して、本考案を詳細に説明する。
【００１５】
図１は、本考案の、対向する２つの開口の一方が和紙で被覆され、他方が木材または合成樹脂で閉鎖された扁平筒状体からなる胴部を有する三味線を説明するための斜視図であり、図２は、本考案の、対向する２つの開口の一方が和紙で被覆され、他方が木材または合成樹脂で閉鎖された扁平筒状体からなる胴部を有する三味線の一実施の態様にかかわる胴部の断面図であり、図３は、本考案の三味線の、対向する２つの開口の一方が和紙で被覆され、他方が木材または合成樹脂で閉鎖された扁平筒状体からなる胴部に適用される和紙の構造を説明するための概念図である。図４は、サンプリング周波数４４．１ｋＨｚ、量子化ビット１６ｂｉｔでＣＤ−Ｒに録音し、ＣＤプレーヤーからヘッドホンを通して１０名の被験者の両耳に「和紙」、「猫皮」、「合成」の３種類の音刺激を提示し、ＳＤ法で一般的に用いられる音色表現語による印象評価を行なった音色評定実験の結果を示すグラフである。
【００１６】
本考案の三味線１は、図１に示されるように、棹部２および胴部３から構成されている。棹部２は、胴部３に胴部３の一側壁を貫通して嵌合されている。棹部２は、通常、紅木、花梨、または紫檀等の木材製であるが、特に材質は限定されることはない。
【００１７】
棹部２の先端部近傍には、絃ＴＨ１〜３を張力可変に固定するための糸巻きＲ１〜Ｒ３が設けられている。絃ＴＨ１〜３は、それぞれがほぼ平行になるように張られている。一の絃ＴＨ１、二の絃ＴＨ２、三の絃ＴＨ３がそれぞれ一の糸巻きＲ１、二の糸巻きＲ２、三の糸巻きＲ３に巻回されており、絃ＴＨ１〜３の他端は、前記一側壁と対向する側壁の外面に設けられた根緒５に結束して固定されている。
【００１８】
胴部３は、外形の形態としては、従来の三味線と同様の形態を有するものであるが、従来、胴部の対向する２つの開口部が猫皮で被覆されていた構造を、対向する２つの開口部のうちの一方を和紙で覆い、他方を木材または合成樹脂で覆ったことを最大の特徴としており、この構造を、以下扁平筒状体と呼ぶ。胴部３は、扁平筒状体であればよく、たとえば底部３ｂと側壁３ａとを別体とすることができるが、かかる構成に限られることはなく、１本の木材から切削加工したものであってもよい。
【００１９】
本実施の形態においては、扁平筒状体である胴部３は、底部３ｂと、互いに隣接する４つの側壁３ａから角筒状に構成されており、４つの側壁３ａは、たとえば蟻溝と蟻ほぞを設けることにより互いに連結することができる。前記側壁３ａは、外側に出る年輪がきれいで、重さも三味線にちょうど良いという理由で花梨が用いられる。また、底部３ｂは、木材からなり、厚さは２〜１０ｍｍであることが好ましく、和紙４からの音の抜けを防止することができる。また、本実施の形態において、底部３ｂと側壁３ａは、膠により接着することにより接合しているが、特にその接合方法は限定されることはない。
【００２０】
前記胴部３の開口部には、和紙４が張設され、胴部３の開口部が完全に閉塞されている。和紙４を用いることにより、製造コストを抑えることができ、三味線の維持が容易になり、ソフトで自然な音色が得られる。前記和紙４は、寒梅粉（もち米を原料とした糊粉）を水で練ったものを加熱して、糊化したものを接着剤として、胴部３に貼り付けられるが、前記接着剤は、特に寒梅粉に限定されるものではない。
【００２１】
和紙４と絃ＴＨ１〜３の間には、演奏時、和紙４と絃ＴＨ１〜３を離間するために、取り外し可能に、駒６が設けられる。駒６は絃の振動を皮に伝えるためのものである。
【００２２】
また、胴部３には、舟形のカバーである胴掛け７が掛けられる。胴掛け７は、右腕をのせるためのものである。
【００２３】
図２に示されるように、胴部３は、絃ＴＨ１〜３が張設される側である上部が開口した木製の扁平筒状体からなり、前記胴部３は底部３ｂと４つの側壁３ａとから構成されている。前記胴部の開口部は和紙４で覆われている。
【００２４】
図３に示すように、胴部３の開口部を完全に閉塞する和紙４は、和紙層４ａと、膠またはゼラチン層４ｂが積層された重合体であり、二層または三層の和紙層４ａが、膠またはゼラチン層４ｂを挟持している。和紙層４ａを二層または三層設け、膠またはゼラチン層４ｂを挟持することにより、膠またはゼラチンがもれ出てしまうことを防止することができる。
【００２５】
三味線の表皮として和紙のみを用いた場合、和紙自体は破れやすいため強度が低く、空気中の湿気の影響を受けやすいため音質が安定せず、また、猫や犬の皮を用いた場合と比べて、音が抜けすぎたり、音が軽すぎるといった問題が生じるが、和紙に膠またはゼラチンを積層されるように混入することにより、猫の皮と比較して遜色のない強度が得られ、音が抜けることが低減され、さらには、重量感のある音色を得ることができる。膠またはゼラチンの和紙への積層は、刷毛またはブラシで塗布したり、膠またはゼラチン液中に和紙を浸すことにより行うことができる。膠またはゼラチン層４ｂは、和紙の強度を高め、和紙を湿気から守る役割を果たし、音が抜けることを適度に軽減し、音に重量感を与える役割を持つ。また、膠またはゼラチン層４ｂの膠またはゼラチンが和紙層内に浸透し、和紙４に硬さとこしを持たせることができる。
【００２６】
和紙４の坪量を、２００〜３００ｇ／ｍ2とし、厚さを０．２〜０．４ｍｍとし、かつ引張強度を、２５〜３０ｋＮ／ｍとすることにより和紙を用いて、猫の皮と同等の音を出すことができる。なお、和紙４は、胴部３にピンと緊張した状態で張設され、従来からある猫の皮を張設する冶具を用いて張設することができる。
【実施例】
【００２７】
本考案に用いられる和紙４を以下の工程で得た。まず、楮から得た白皮を開放釜で煮沸し、不純物を取り除いた後、叩解して繊維を柔らかくし、叩解後の紙料に、水とネリウツギ（通常は糊剤としてトロロアオイがよりポピュラーであるが、ほのかににおいがつくことがあるので、ネリウツギの方がより好ましい）を添加した後、均一に分散し、紙料液を得た。また、竹で作った簀の周りに木枠を設け、この簀の上に、叩解前の楮を不規則な方向に配置させた後、紙料液を充填した漉舟の中に浸漬し、紙料液をすくい上げた。その後、枠を前後左右に揺り動かしながら水を濾過させ、余分な紙料液を捨てた。その後、室温で乾燥を行ない、乾燥終了後、簀から紙を剥離し、和紙を得た。当該乾燥後の和紙の一面に膠をブラシで塗布し、さらに別の和紙で膠を挟み込んだ後、乾燥させ、膠層を二層の和紙層で挟み込んだ。
【００２８】
その後、さらに乾燥させ、乾燥後に膠層を二層の和紙層で挟持したものを濡らした手拭いで挟み込んで湿らした後、猫の皮等を張設する公知の冶具を用いて、和紙層の４辺を木栓で、対向する辺を４カ所、他の対向する辺を５カ所、合計１８カ所を押さえ、引っ張ることにより和紙積層体を得た。この工程は、和紙に強度、こしを与えるための工程である。
【００２９】
この工程後の和紙積層体の厚さ、引張強度、坪量を以下の試験方法により計測した。
【００３０】
試料：和紙積層体（膠層を二層の和紙層で挟持したもの）
猫皮
試験方法：ＪＩＳ  Ｐ８１１１（試験用紙の前処理）に規定した方法で前処理を行ない、以下の方法で測定を行なった。
引張強度：ＪＩＳ  Ｐ８１１３（紙及び板紙の引張強さ試験方法）を参考にして測定を行なった。ただし、試料サイズを２００ｍｍ×１５ｍｍ、つかみ具の間隔を１２０ｍｍ、引張速度を２０ｍｍ／ｍｉｎ、測定回数を３回にして測定を行なった。
坪量：ＪＩＳ  Ｐ８１２４（紙のメートル坪量測定方法）を参考にして測定を行なった。ただし、試料サイズを２００ｍｍ×１８０ｍｍとして、測定回数を１回にして測定を行なった。
厚さ：ＪＩＳ  Ｐ８１１８（紙及び板紙の厚さと密度の試験方法）を参考にして測定を行なった。ただし、同一試料内の１０カ所で測定を行なった。
【００３１】
上記試験方法による結果を以下に示す。
【００３２】
【表１】
0003148589.tif 000003
【００３３】
以上に示すように、膠層を二層の和紙層で挟み込むことにより、猫皮と同等の引張強度、坪量、厚さを得ることができた。
【００３４】
上記和紙を胴にはるために、胴に寒梅粉を塗り、和紙を木栓で引張りながら、猫皮を張るのと同様の張り台に載せ、和紙を引張りながら、ピンと緊張した状態で胴に貼り付けた。このとき、卓球の公式球（株式会社タマス製  品番９５２１０−２７０−０−０００  スリースターボール４０  ホワイト）を和紙の表面から５０ｃｍの高さから１０回落とし、そのときの卓球の跳ね返り高さを計測したところ、跳ね返り高さの平均が３７ｃｍであった。
【００３５】
胴は、花梨を用い、胴の下部には、厚さ５ｍｍの木材を膠により胴に貼り付けたものを用いた。胴部に緩みなくピンと緊張した状態で張設することにより、以下に示す音色評定試験により猫皮に勝るとも劣らない音を出すことができた。
【００３６】
当該和紙三味線を用いて、音色評定実験を行なった。
【００３７】
（１）和紙張り三味線（以下、単に「和紙」という）、猫皮張り三味線（以下、単に「猫皮」という）および合成樹脂張り三味線（以下、単に「合成」という）を用い、ＳＤ法（Semantic Differential method）を用いて音色評定実験を行なった。ＳＤ法は「意味微分法」と訳され、多数の音色評定語対を用いて音源の音色を絶対評価する、音色評定において最も一般的に用いられる方法である。
【００３８】
（２）実験方法
（２−１）音源の録音
３種の三味線「和紙」、「猫皮」、「合成」の録音は全て無響室内（大阪市内）で行なった。
【００３９】
録音の条件は次の通りである。三味線は中棹を用い、調絃は「二上がり」とした（第１絃：レ、第２絃：ラ、第３絃：レ。音高は、いわゆる「６本」である）。絃は全て開放絃とし、(1)第１絃→(2)第２絃→(3)第３絃→(4)第１、２、３絃同時の順番で(1)→(4)を１セットとして弾いた。この際、ある絃の残響が十分に消えてから次の絃を弾いた。演奏は、プロの三味線奏者が座位で行なった。マイクロホンは三味線の５０ｃｍ前方に設置した。
【００４０】
録音に用いた機器は次の通りである。
・マイクロホン：Ｂ＆Ｋ（デンマーク）社製  Ｔｙｐｅ４１９０（１／２inch）
・プリ・アンプ：同社製  Ｔｙｐｅ２６６９
・パワー・サプライ：同社製  Ｔｙｐｅ５９３５
・ＤＡＴ録音機：ＳＯＮＹ  ＴＣＤ−Ｄ１０
【００４１】
（２−２）音色評定実験
「和紙」「猫皮」「合成」の３種類の音刺激（前記の(1)〜(4)を１セットとする）を、ヘッドホンを通じて被験者に提示し、音色表現語による印象評価を行なわせた。
【００４２】
実験は全て、静穏な居室内にて行なった。音刺激は、サンプリング周波数４４．１ｋＨｚ、量子化ビット１６ｂｉｔでＣＤ−Ｒに録音し、ＣＤプレーヤー（ＤＥＮＯＮ  ＤＣＤ−Ｆ１０１）からヘッドホン（ＳＴＡＸ  Ｌａｍｄａ−ｐｒｏ）を通してダイオテック（両耳に同じ信号を供給する意）に被験者に提示した。各音刺激は、被験者が全ての音色表現語に対する回答を終了するまで繰り返し提示された。また、各被験者は、評定の信頼性を検定するために、各音刺激につき２回ずつ印象評価を行なった。被験者は、男性７名と女性３名の計１０名であった（学生、大学院生および社会人で、年齢は２１〜６１才）。
【００４３】
印象評価に用いる表現語対である図４の２６対は、ＳＤ法で一般的に用いられる音色表現語を選んだものである。これらの表現語対を用いて、７段階の評価尺度を構成した。７段階の評価尺度は、１「非常に」２「かなり」３「やや」４「どちらでもない」５「やや」６「かなり」７「非常に」で表した。印象評価のＡ〜Ｚの２６対は、以下のとおりである。
【００４４】
＜Ａ：澄んだ−濁った＞
評価１に近づくほど「澄んだ」音であるという被験者の印象であり、評価７に近づくほど「濁った」音であるという被験者の印象である。
＜Ｂ：迫力のある−もの足りない＞
評価１に近づくほど「迫力のある」音であるという被験者の印象であり、評価７に近づくほど「もの足りない」音であるという被験者の印象である。
＜Ｃ：とげとげしい−丸みのある＞
評価１に近づくほど「とげとげしい」音であるという被験者の印象であり、評価７に近づくほど「丸みのある」音であるという被験者の印象である。
＜Ｄ：落ち着いた−甲高い＞
評価１に近づくほど「落ち着いた」音であるという被験者の印象であり、評価７に近づくほど「甲高い」音であるという被験者の印象である。
＜Ｅ：豊かな−貧弱な＞
評価１に近づくほど「豊かな」音であるという被験者の印象であり、評価７に近づくほど「貧弱な」音であるという被験者の印象である。
＜Ｆ：解け合った−割れた＞
評価１に近づくほど「解け合った」音であるという被験者の印象であり、評価７に近づくほど「割れた」音であるという被験者の印象である。
＜Ｇ：太い−細い＞
評価１に近づくほど「太い」音であるという被験者の印象であり、評価７に近づくほど「細い」音であるという被験者の印象である。
＜Ｈ：きめの細かい−荒い＞
評価１に近づくほど「きめの細かい」音であるという被験者の印象であり、評価７に近づくほど「荒い」音であるという被験者の印象である。
＜Ｉ：硬い−柔らかい＞
評価１に近づくほど「硬い」音であるという被験者の印象であり、評価７に近づくほど「柔らかい」音であるという被験者の印象である。
＜Ｊ：快い−不快な＞
評価１に近づくほど「快い」音であるという被験者の印象であり、評価７に近づくほど「不快な」音であるという被験者の印象である。
＜Ｋ：軽い−重い＞
評価１に近づくほど「軽い」音であるという被験者の印象であり、評価７に近づくほど「重い」音であるという被験者の印象である。
＜Ｌ：乾いた−潤いのある＞
評価１に近づくほど「乾いた」音であるという被験者の印象であり、評価７に近づくほど「潤いのある」音であるという被験者の印象である。
＜Ｍ：金属製の−深みのある＞
評価１に近づくほど「金属製の」音であるという被験者の印象であり、評価７に近づくほど「深みのある」音であるという被験者の印象である。
＜Ｎ：大きい−小さい＞
評価１に近づくほど「大きい」音であるという被験者の印象であり、評価７に近づくほど「小さい」音であるという被験者の印象である。
＜Ｏ：ざらざらした−なめらかな＞
評価１に近づくほど「ざらざらした」音であるという被験者の印象であり、評価７に近づくほど「なめらかな」音であるという被験者の印象である。
＜Ｐ：鋭い−鈍い＞
評価１に近づくほど「鋭い」音であるという被験者の印象であり、評価７に近づくほど「鈍い」音であるという被験者の印象である。
＜Ｑ：高い−低い＞
評価１に近づくほど「高い」音であるという被験者の印象であり、評価７に近づくほど「低い」音であるという被験者の印象である。
＜Ｒ：厚みのある−薄っぺらな＞
評価１に近づくほど「厚みのある」音であるという被験者の印象であり、評価７に近づくほど「薄っぺらな」音であるという被験者の印象である。
＜Ｓ：好き−嫌い＞
評価１に近づくほど「好き」な音であるという被験者の印象であり、評価７に近づくほど「嫌い」な音であるという被験者の印象である。
＜Ｔ：穏やかな−荒々しい＞
評価１に近づくほど「穏やかな」音であるという被験者の印象であり、評価７に近づくほど「荒々しい」音であるという被験者の印象である。
＜Ｕ：響きのある−響きのない＞
評価１に近づくほど「響きのある」音であるという被験者の印象であり、評価７に近づくほど「響きのない」音であるという被験者の印象である。
＜Ｖ：弱々しい−力強い＞
評価１に近づくほど「弱々しい」音であるという被験者の印象であり、評価７に近づくほど「力強い」音であるという被験者の印象である。
＜Ｗ：はっきりとした−ぼやけた＞
評価１に近づくほど「はっきりとした」音であるという被験者の印象であり、評価７に近づくほど「ぼやけた」音であるという被験者の印象である。
＜Ｘ：美しい−汚い＞
評価１に近づくほど「美しい」音であるという被験者の印象であり、評価７に近づくほど「汚い」音であるという被験者の印象である。
＜Ｙ：明るい−暗い＞
評価１に近づくほど「明るい」音であるという被験者の印象であり、評価７に近づくほど「暗い」音であるという被験者の印象である。
＜Ｚ：抜けのよい−つまった＞
評価１に近づくほど「抜けのよい」音であるという被験者の印象であり、評価７に近づくほど「つまった」音であるという被験者の印象である。
【００４５】
上記Ａ〜Ｚの表現語対を用いて、１０名分の評価の平均を算出したものを図４に示す。図４に示されるように、本考案の三味線によれば、猫の皮の欠点であるＣ「とげとげしい」音、Ｌ「乾いた」音、Ｍ「金属製の」音に対して、三味線の皮として本考案の和紙を用いることにより、Ｃ「丸みのある」音、Ｌ「潤いのある」音、Ｍ「深みのある」音を出すことができ、猫の皮を用いた三味線に勝るとも劣らない音色を出すことが判明した。
【００４６】
「和紙」を「合成」および「猫皮」と比較した結果、「丸みのある」、「落ち着いた」、「豊かな」、「解け合った」、「太い」、「潤いのある」、「深みのある」、「厚みのある」、「響きのある」の評価値が他の音より高く、深みのある響きの豊かな音だと評価されている。また、他の音より「好き」の評価値が高い。したがって、「和紙」は学校教育における三味線として十分に適用可能な楽器であると結論づけられる。
【図面の簡単な説明】
【００４７】
【図１】本考案の、対向する２つの開口の一方が和紙で被覆され、他方が木材または合成樹脂で閉鎖された扁平筒状体からなる胴部を有する三味線を説明するための斜視図である。
【図２】本考案の、対向する２つの開口の一方が和紙で被覆され、他方が木材または合成樹脂で閉鎖された扁平筒状体からなる胴部を有する三味線の一実施の態様にかかわる胴部の断面図である。
【図３】本考案の三味線の、対向する２つの開口の一方が和紙で被覆され、他方が木材または合成樹脂で閉鎖された扁平筒状体からなる胴部に適用される和紙の構造を説明するための概念図である。
【図４】サンプリング周波数４４．１ｋＨｚ、量子化ビット１６ｂｉｔでＣＤ−Ｒに録音し、ＣＤプレーヤーからヘッドホンを通して１０名の被験者の両耳に「和紙」、「猫皮」、「合成」の３種類の音刺激を提示し、ＳＤ法で一般的に用いられる音色表現語による印象評価を行なった音色評定実験の結果を示すグラフである。
【符号の説明】
【００４８】
１  三味線
２  棹部
３  胴部
３ａ  側壁
３ｂ  底部
４  和紙
４ａ  和紙層
４ｂ  膠またはゼラチン層
５  根緒
６  駒
７  胴掛け
Ｒ１、Ｒ２、Ｒ３  糸巻き
ＴＨ１、ＴＨ２、ＴＨ３  絃
【図１】
0003148589.tif 000004
【図２】
0003148589.tif 000005
【図３】
0003148589.tif 000006
【図４】
0003148589.tif 000007